(57)【要約】【課題】  筆記具が不要なアンケート用紙を提供する。【解決手段】  アンケート用紙１は、台紙２からなり、台紙２にはアンケートの内容を記した主題部３、個々の質問事項を記した質問部５ａ、５ｂおよび質問に対する回答の選択肢を記した回答部７ａ、９ａ、１１ａおよび回答部１３ａ、１５ａ、１７ａが設けられている。また、回答部７ａ、９ａ、１１ａにはＵ字状に切り込まれた、切り込み部７ｂ、７ｃ、９ｂ、９ｃ、１１ｂ、１１ｃが設けられており、切り込み部の間には接続部７ｄ、９ｄ、１１ｄが設けられている。回答者は例えば質問部５ａに書かれた質問に対し、「はい」と回答したい場合は、回答部７ａの接続部７ｄを破って、回答部７ａを起す。【選択図】  図１
2006137009.tif 000002
【特許請求の範囲】
【請求項１】
質問が記載された台紙と、
前記質問に対する回答を行うために前記台紙に設けられた切り込み部と、
を具備することを特徴とするアンケート用紙。
【請求項２】
前記切り込み部は、Ｕ字状、Ｖ字状、かぎ型状であることを特徴とする請求項１記載のアンケート用紙。
【請求項３】
前記切り込み部は、前記台紙との接続部を有することを特徴とする請求項１記載のアンケート用紙。
【請求項４】
前記切り込み部の内部に、回答の選択肢が記載されていることを特徴とする請求項１記載のアンケート用紙。
【発明の詳細な説明】
【技術分野】
【０００１】
本発明は、アンケート用紙に関するものである。
【背景技術】
【０００２】
アンケートは、企業等が提供するサービス、商品等に対する顧客の反応の調査、あるいは行政の政策に対する市民の賛否等の調査に広く用いられている手法である。
アンケートの具体的な方法としては、調査人が電話や口頭で直接回答者に質問し、回答者に電話や口頭で回答してもらう方法があるが、質問事項があらかじめ書かれた用紙を調査人が回答者に配布し、回答者に回答を筆記具で記入してもらう方法もある。
【０００３】
具体的には、例えば用紙中に「あなたは○○に賛成ですか？」という質問と、それに対して「はい」「いいえ」という選択肢が書かれており、回答者はいずれかの選択肢に筆記具で丸をつけるか、チェックを入れるか等によって回答を行う。
このようなアンケート方法に用いられる用紙はアンケート用紙といわれ、以下のようなものが知られている。
【０００４】
【特許文献１】特開２００４-０６２１２８号公報
【発明の開示】
【発明が解決しようとする課題】
【０００５】
しかしながら、このようなアンケート用紙を用いてアンケートを行う場合は、回答を記入するための筆記具および筆記のための筆記台を、調査人があらかじめ用意しておく必要があるため、特に屋外でアンケートを行う際には筆記具、筆記台が不足する等の問題が生じていた。
また、筆記による回答は口頭での回答と比べて手間がかかるため、回答者がアンケートへの協力を拒む場合も多く、調査を行うために十分な回答者を確保することが困難であるという問題もあった。
【０００６】
本発明は、このような問題に鑑みてなされたもので、その目的は筆記具が不要なアンケート用紙を提供することにある。
【課題を解決するための手段】
【０００７】
前述した目的を達成するために、本発明は、質問が記載された台紙と、前記質問に対する回答を行うために前記台紙に設けられた切り込み部と、を具備することを特徴とするアンケート用紙である。
前記切り込み部は、Ｕ字状、Ｖ字状、かぎ型状であってもよく、また前記切り込み部は、前記台紙との接続部を有してもよい。
さらに、前記切り込み部の内部に、回答の選択肢が記載されていてもよい
【０００８】
本発明では、アンケート用紙が、質問が記載された台紙と、前記質問に対する回答を行うために前記台紙に設けられた切り込み部を有しており、回答者が回答する際には、切り込み部に囲まれた部分を起して回答を行う。
【発明の効果】
【０００９】
本発明によれば、アンケート用紙内に質問が記載された台紙と、前記質問に対する回答を行うために前記台紙に設けられた切り込み部を有してため、回答の際に筆記具が不要であり、利便性が改善される。
【発明を実施するための最良の形態】
【００１０】
以下、図面に基づいて本発明に好適な実施形態を詳細に説明する。図１は、第１の実施形態に係るアンケート用紙１を示す図である。
なお、アンケート用紙１は、特定の政党が、街頭で自党の政策に対する市民の反応を調査する際に用いることを想定したものである。
【００１１】
図１に示すように、アンケート用紙１は台紙２からなり、台紙２にはアンケートの内容を記した主題部３、個々の質問事項を記した質問部５ａ、５ｂが設けられている。
また、台紙２には、質問部５ａに対する回答の選択肢を記した回答部７ａ、９ａ、１１ａおよび質問部５ｂに対する回答の選択肢を記した回答部１３ａ、１５ａ、１７ａが設けられている。
なお台紙２の材質には紙が用いられるが、プラスチック等を用いてもよい。
【００１２】
さらに、回答部７ａ、９ａ、１１ａの周囲にはＵ字状に切り込まれた、切り込み部７ｂ、７ｃ、９ｂ、９ｃ、１１ｂ、１１ｃが設けられており、切り込み部７ｂ、７ｃの間には、接続部７ｄが設けられている。
同様に、切り込み部９ｂ、９ｃの間には、接続部９ｄが設けられ、切り込み部１１ｂ、１１ｃの間には、接続部１１ｄが設けられている。
【００１３】
なお、切り込み部７ｂ、７ｃ、９ｂ、９ｃ、１１ｂ、１１ｃを回答部７ａ、９ａ、１１ａの周囲ではなく、別の場所に設けてもよい
また、切り込み部７ｂ、７ｃ、９ｂ、９ｃ、１１ｂ、１１ｃの形状はＵ字状のみならず、Ｖ字状、かぎ型等でもよい。
【００１４】
一方、回答部１３ａ、１５ａ、１７ａの周囲にはＵ字状に切り込まれた、切り込み部１３ｂ、１３ｃ、１５ｂ、１５ｃ、１７ｂ、１７ｃが設けられており、切り込み部１３ｂ、１３ｃの間には、接続部１３ｄが設けられている。
同様に、切り込み部１５ｂ、１５ｃの間には、接続部１５ｄが設けられ、切り込み部１７ｂ、１７ｃの間には、接続部１７ｄが設けられている。
【００１５】
なお、切り込み部１３ｂ、１３ｃ、１５ｂ、１５ｃ、１７ｂ、１７ｃを回答部１３ａ、１５ａ、１７ａの周囲ではなく、別の場所に設けてもよい
また、切り込み部１３ｂ、１３ｃ、１５ｂ、１５ｃ、１７ｂ、１７ｃの形状はＵ字状のみならず、Ｖ字状、かぎ型等でもよい。
【００１６】
次に回答者がアンケート用紙１を用いてアンケートに回答する方法について説明する。図２、図３、図４および図５はアンケート用紙１の質問部５ａ付近を示す図である。
【００１７】
回答者は質問部５ａに書かれた質問である「Ｑ１  あなたはこの○○○をめぐる「△△」問題を知っていましたか？」という質問に対し、例えば「はい」と回答したい場合は、図２に示す回答部７ａの接続部７ｄを破って、図３に示すように、回答部７ａを矢印Ａ方向に回転させ、回答部７ａを起す。
一方、「いいえ」と回答したい場合は、図４に示す回答部９ａの接続部９ｄを破って、図５に示すように回答部９ａを矢印Ｂ方向に回転させ、回答部９ａを起す。
なお、質問部５ｂに対する回答も同様に行うことができるが、説明は省略する。
【００１８】
このように、第１の実施形態によれば、回答者は回答部７ａ、９ａの接続部７ｄ、９ｄを破って、回答部７ａ、９ａを起すことにより、質問部５ａに書かれた質問に対する回答を行う。従って、従来のアンケート用紙と異なり、回答に際して筆記具は不要となり、利便性が改善される。
【００１９】
次に、第２の実施形態について説明する。
図６は第２の実施形態に係るアンケート用紙１９を示す図である。なお、第２の実施形態において第１の実施形態に係るアンケート用紙１と同様の機能を果たす要素には同一の番号を付し、説明を省略する。
【００２０】
第２の実施形態に係るアンケート用紙１９は、製菓の販売を行っている企業が、新製品を消費者に試食してもらい、その製品に対する評価を調査する際に用いることを想定したものである。
【００２１】
図６に示すように、アンケート用紙１９は、アンケート用紙１と同様の構造を持っており、回答者は筆記具を用いなくても回答を行うことができる。
なお、具体的な回答方法は、第１の実施形態と同様であるため、省略する。
【００２２】
このように、第２の実施形態によれば、回答者は回答部７ａ、９ａの接続部７ｄ、９ｄを破って、回答部７ａ、９ａを起すことにより、質問部５ａに書かれた質問に対する回答を行う。従って、従来のアンケート用紙と異なり、回答に際して筆記具は不要となり、利便性が改善される。
【００２３】
次に、第３の実施形態について説明する。
図７は第３の実施形態に係るアンケート用紙２１を示す図である。なお、第３の実施形態において第１の実施形態に係るアンケート用紙１と同様の機能を果たす要素には同一の番号を付し、説明を省略する。
【００２４】
第３の実施形態に係るアンケート用紙２１は、ビールの販売を行っている企業が、新製品を消費者に試飲してもらい、その製品に対する評価を調査する際に用いることを想定したものである。
【００２５】
図７に示すように、アンケート用紙２１は、アンケート用紙１と同様の構造を持っており、回答者は筆記具を用いなくても回答を行うことができる。
なお、具体的な回答方法は、第１の実施形態と同様であるため、省略する。
【００２６】
このように、第３の実施形態によれば、回答者は回答部７ａ、９ａの接続部７ｄ、９ｄを破って、回答部７ａ、９ａを起すことにより、質問部５ａに書かれた質問に対する回答を行う。従って、従来のアンケート用紙と異なり、回答に際して筆記具は不要となり、利便性が改善される。
【００２７】
以上、添付図面を参照しながら、本発明の実施形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【図面の簡単な説明】
【００２８】
【図１】アンケート用紙１を示す図
【図２】アンケート用紙１の質問部５ａ付近を示す図
【図３】アンケート用紙１の質問部５ａ付近を示す図
【図４】アンケート用紙１の質問部５ａ付近を示す図
【図５】アンケート用紙１の質問部５ａ付近を示す図
【図６】アンケート用紙１９を示す図
【図７】アンケート用紙２１を示す図
【符号の説明】
【００２９】
１…………アンケート用紙
２…………台紙
３…………主題部
５ａ………質問部
７ａ………回答部
７ｂ………切り込み部
７ｃ………切り込み部
７ｄ………接続部
１９………アンケート用紙
２１………アンケート用紙
【図１】
2006137009.tif 000003
【図２】
2006137009.tif 000004
【図３】
2006137009.tif 000005
【図４】
2006137009.tif 000006
【図５】
2006137009.tif 000007
【図６】
2006137009.tif 000008
【図７】
2006137009.tif 000009